(57)【特許請求の範囲】
【請求項１】
頭部、該頭部に接続されたフィラメント部、当該フィラメント部の該頭部が接続されている端部とは反対側の端部に設けられ、該フィラメントに略直交する様に設けられている横棒部とから構成された係止片が複数個集合してなる構造体であって、当該係止片のそれぞれは、当該フィラメントの軸方向に該横棒部を越えて延長されている連結部を介して、それぞれの係止片に於ける頭部及び横棒部がそれぞれ互いに平行になる様に、共通の線状支持部に接続されている構造体であり、当該係止片構造体は、係止片取付機の上部に設けられた当該係止片構造体供給部に近接して配置される当該係止片構造体規制ガイドに係合して容易に屈曲せしめられる様に構成されており、且つ当該フィラメント群によって形成される平面に沿って当該共通の線状支持部を屈曲させる力が、その他の方向に当該係止片構造体を屈曲させる力に比べて小さくなる様に構成されていると共に、当該共通の線状支持部は、その長手方向に溝部が設けられており、更に当該溝部底部に当該溝部の長手方向に間欠的に開口部が設けられている事を特徴とする係止片構造体。
【請求項２】
当該共通の線状支持部は、該フィラメント部の軸方向の長さが、該フィラメント部と直交する方向の長さよりも長くなる様な断面形状を有するものである事を特徴とする請求項１記載の係止片構造体。
【請求項３】
当該複数個の開口部の一部の開口部の形状が、他の開口部の形状と異なる様に構成されている事を特徴とする請求項１又は２に記載の係止片構造体。
【請求項４】
合成樹脂により一体的に形成されたものである事を特徴とする請求項１乃至３の何れかに記載の係止片構造体。
【発明の詳細な説明】
【０００１】
【発明の属する技術分野】
本発明は係止片構造体に関するものであり、特に詳しくは、衣料品、日用雑貨品、履物、革袋、ハンガー、陳列棚、商品展示装置等の物品に、ブランド名、素材或は取り扱い法を付したタグ及び値札等を含む各種のラベル類を係止させるために使用される係止片、或いは複数個の衣料品、日用雑貨品等を一組の商品として束ねる為に使用される係止片等を供給する係止片構造体に関するものである。
【０００２】
【従来の技術】
従来より物品にラベル（タグ）を係止させたり、複数個の物品を束ねたりする方法の一つの手段として、図８に示す様な係止片１０を使用する事が知られている。
係る係止片１０は、図８より明らかな様に、頭部３、該頭部３に接続されたフィラメント部２、当該フィラメント部２の該頭部３が接続されている端部とは反対側の端部に設けられ、該フィラメント２に略直交する様に設けられている横棒部１とから構成されたものであって、かかる係止片１０は、例えば図５に示す様に、複数個の係止片１０が、互いに平行な状態で連結された状態の構造体１１に形成された後、例えば図６に示される様な専用のガンつまり係止片取付機３０を使用して、上記商品に当該係止片構造体１１から個々の係止片１０を個別に切断しながら刺し通す事によって、所望の商品、物品に係止させるものである。
【０００３】
より具体的には、図７に示す様に、当該係止片取付機３０の上面部に設けられた当該係止片構造体１１を供給部３１の供給口３２に挿通し、例えば、図６に雌様に、引金部６４を操作する事によって、当該係止片構造体１１から分離された個々の係止片１０の横棒部１が、中空針１２の中に挿入された後、商品物体の反対面に突き抜けている当該中空針１２の先端部から押し出されて、当該係止片１０が、該商品・物体に係止されるものである。
【０００４】
その間、当該係止片のフィラメント部２は、当該係止片取付機３０に設けられたスリット部３３及び当該中空針１２の側面に設けられたスリット１５を介して、該商品・物体中に導入されるものである。
処で、係る構成の係止片構造体１１と該係止片取付機３０を使用して、上記した係止片１０を個別に商品・物体に係止させる場合には、従来は、当該係止片構造体１１を構成する複数個の係止片１０の数が少なかったことから、当該係止片構造体１１の長さもそれ程長くなく、従って、上記した係止片１０の係止操作を行うに際しては、図６に於けるＰ１に示す様に、当該係止片構造体１１は、略当該係止片取付機３０の上部供給口３１から略垂直に立った状態で、操作が実行されることになる。
【０００５】
【発明が解決しようとする課題】
然しながら、近年、当該作業を効率化する目的から、当該係止片構造体１１を構成する各係止片１０の個数が増大し、従って係止片構造体１１の長さも長くなって来ている。
係る状態で、上記した操作を実行しようとすると、当該係止片構造体１１は、当該係止片取付機３０の上部供給口３１に取付けた場合に、当該当該係止片取付機３０の上部供給口３１の上方に長く略垂直に立った状態で、操作が実行されることになり、又当該係止片構造体１１が、作業中ふらつき、作業がし難くなると共に、当該係止片構造体１１が、他の部品、商品に当接し、或いは作業者の手や指に接触して、商品を損傷させたり、作業者を傷つける様な場合が多く発生する事になり、商品の品質の低下と危険防止の為の作業効率の低下が発生してきた。
【０００６】
そのため、図６に示す様に、当該係止片取付機３０の当該係止片構造体供給口３１近傍に当該係止片構造体１１の規制ガイド２２を設け、図６のＰ２に示す様に当該係止片構造体１１の供給通路の形状を例えば湾曲状に変形させる事によって、当該係止片構造体１１が、当該係止片取付機３０の上部に長く突出する状態を制限して、安定した係止片構造体１１の供給と、作業の効率化並びに作業中の危険を回避する方法が開発されてきている。
【０００７】
然しながら、従来に於ける該係止片構造体１１は、当該係止片取付機３０の上部に対して略垂直な方向、つまり図６のＰ１で示す方向に供給することを前提に開発されて来ているので、図６のＰ２に示す様な方向に湾曲させるには、困難な様に固く形成されている。
従って、無理に、従来の係止片構造体１１を、図６のＰ２に示す様な方向に湾曲させて使用すると、当該係止片取付機の構成に余計な負荷がかかることから、当該係止片取付機３０が破損すると言う問題が発生している。
【０００８】
そのため、従来の様に、長さの短い、換言すれば係止片１０のコンテント量の少ない係止片構造体１１しか実用的には、使用しえない状態であり、効率の低下、コスト上昇と言う問題も発生している。
従って、本発明の目的は、上記した従来技術の欠点を克服し、当該係止片構造体１１の長さが長くなっても、従来の係止片取付機３０を使用して、効率的且つ安全性の高い係止片取付け操作を実行しえる係止片構造体を提供するものである。
【０００９】
【課題を解決するための手段】
本発明は上記した目的を達成する為、以下に示す様な基本的な技術構成を採用するものである。即ち、頭部、該頭部に接続されたフィラメント部、当該フィラメント部の該頭部が接続されている端部とは反対側の端部に設けられ、該フィラメントに略直交する様に設けられている横棒部とから構成された係止片が複数個集合してなる構造体であって、当該係止片のそれぞれは、当該フィラメントの軸方向に該横棒部を越えて延長されている連結部を介して、それぞれの係止片に於ける頭部及び横棒部がそれぞれ互いに平行になる様に、共通の線状支持部に接続されている構造体であり、当該係止片構造体は、係止片取付機の上部に設けられた当該係止片構造体供給部に近接して配置される当該係止片構造体規制ガイドに係合して容易に屈曲せしめられる様に構成されており、且つ当該フィラメント群によって形成される平面に沿って当該共通の線状支持部を屈曲させる力が、その他の方向に当該係止片構造体を屈曲させる力に比べて小さくなる様に構成されていると共に、当該共通の線状支持部は、その長手方向に溝部が設けられており、更に当該溝部底部に当該溝部の長手方向に間欠的に開口部が設けられている事を特徴とする係止片構造体である。
【００１０】
【発明の実施の形態】
本発明の係止片構造体は、上記した技術構成を採用しているので、当該係止片１０の配列方向に容易に湾曲させる事が可能となり、その結果、図６で示す様な、特定の規制ガイド２２を使用する事に適した長尺の係止片構造体を容易に製造し、且つ使用する事が可能となる。
【００１１】
【実施例】
以下に、本発明に係る係止片構造体の一具体例の構成を図面を参照しながら詳細に説明する。
即ち、図１は、本発明に係る係止片構造体１１の一具体例の構成を示す斜視図であり、図中、頭部３、該頭部３に接続されたフィラメント部２、当該フィラメント部２の該頭部３が接続されている端部とは反対側の端部に設けられ、該フィラメント２に略直交する様に設けられている横棒部１とから構成された係止片１０が複数個集合してなる構造体１１であって、当該係止片１０のそれぞれは、当該フィラメント２の軸方向に該横棒部１を越えて延長されている連結部４を介して、それぞれの係止片１０に於ける頭部３及び横棒部１がそれぞれ互いに平行になる様に、共通の線状支持部５に接続されている係止片構造体１１であり、当該係止片構造体１１は、当該フィラメント２群によって形成される平面Ｓに沿って当該共通の線状支持部５を屈曲させる力が、その他の方向に当該係止片構造体１１を屈曲させる力に比べて小さくなる様に構成されている係止片構造体１１が示されている。
【００１２】
つまり、従来の係止片構造体１１は、当該共通の線状支持部５が図５に示す様に、かなり太く形成されていて、その結果、当該共通の線状支持部５を、当該多数のフィラメント部で形成された平面Ｓに沿って曲げる事が不可能であったのに対し、本発明に係る当該係止片構造体１１は、図８に示す様に、当該フィラメント２群によって形成される平面Ｓに沿って当該共通の線状支持部５を容易に屈曲させて湾曲状に変形させる事が可能となる。
【００１３】
つまり、図８に示す様に、当該係止片構造体１１の一端部を固定部に当該フィラメント部が平行となる様に固定しておき、当該係止片構造体１１の他端部に適宜の力Ｆ１を当該平面Ｓの直角に印加させると、図８に示す様に、当該共通の線状支持部５が容易に湾曲する事が出来る。
そのため、本発明に係る係止片構造体１１は、当該共通の線状支持部５が、上記した方向に曲げやすく構成されているが、その他の方向、例えば図９に示すＤ１或いはＤ２の方向には、曲がらない様に構成されている事が望ましい。
【００１４】
具体的には、本発明に係る当該係止片構造体１１に於ける当該共通の線状支持部５は、該フィラメント部２の軸方向と一致する方向の長さが、該フィラメント部２と直交する方向、つまり、該横棒部４の方向と一致する方向の長さよりも長くなる様な断面形状を有するものである事が望ましい。
即ち、図２に示す様に、当該共通の線状支持部５に於ける該フィラメント部２の軸方向と一致する方向の長さＬ１が、該横棒部４の方向と一致する方向の長さＬ２よりも長くなる様な断面形状に構成するものである。
【００１５】
本発明に係る当該頭部３の形状も特に限定されるものではなく、図１に示す様なある程度の面積を有する形状のものが、好ましいが、例えば、該横棒部４の様な形状を持った頭部であっても良い事は言うまでもない。
又、本発明に係る当該共通の線状支持部５は、図３に示す様に、その長手方向に間欠的に開口部７が設けられている事が望ましい。
【００１６】
係る構成によって、当該共通の線状支持部５の部分は、より柔軟性を持つ事が出来ると共に、軽量化並びに原料の削減によるコスト低減に寄与する事が出来る。
係る開口部７の開口面積、開口部の数、開口部の間隔等は、特に限定されるものではなく、必要に応じて適宜に決定する事が可能である。
【００１７】
更に、本発明に係る該係止片構造体１１に於いては、当該共通の線状支持部５の少なくとも一方の側に、その長手方向に沿って溝部９が設けられている事も望ましい。
係る構成によって、当該共通の線状支持部５に於いて、柔軟性を持つ事が出来ると共に、軽量化並びに原料の削減によるコスト低減に寄与する事が出来ると同時に、図３に示された様な方向への曲がりを防止する為に必要な強力を維持する事が可能である。
【００１８】
尚、本発明に於て、当該複数個の開口部７の一部の開口部８の形状が、他の開口部７の形状と異なる様に構成する事も可能である。
係る開口部の形状を他と異にする開口部を所定の間隔で他の開口部形状を有する開口部７と混在させる条件は、特に特定されるものではない。
つまり、当該開口部８の開口部形状、その大きさ、他の開口部７に対する配列割合等は必要に応じて任意に設定する事が可能である。
【００１９】
例えば、図３に示す様に、四角状の開口部７が所定の数連続した後に円形の開口部８が一つ配置され、再び所定の数の開口部７が連続した配置される様に構成する事も可能であり、この場合、当該開口部８の位置を、該係止片１０の数に応じて配置する事が出来る。
つまり、当該係止片１０の配列数が例えば１００本毎に当該開口部８を該開口部７群の間に挿入する事により、一つの係止片構造体１１に３００本の係止片１０が含まれている時、ユーザーが、１００本の係止片１０を一組として使用した場合に、当該係止片構造体１１を分割して使用する際の切断部の目安となる。
【００２０】
尚、本発明に係る当該係止片構造体１１は、ナイロン、ポリプロピレン等からなる合成樹脂により一体的に成形処理されて形成されたものである事が望ましい。
【００２１】
【発明の効果】
本発明の係止片構造体は、上記した様な技術構成を採用しているので、係止片構造体１１の長さが長くなっても、従来の係止片取付機３０を使用して、効率的且つ安全性の高い係止片取付け操作を実行しえる係止片構造体を提供する事が可能となる。
【図面の簡単な説明】
【図１】図１は本発明に係る係止片構造体の一具体例における構成を示す斜視図である。
【図２】図２は本発明に係る係止片構造体の共通の線状支持部の構成の一例を示す側面図である。
【図３】図３は本発明に係る係止片構造体の共通の線状支持部の構成の一例を示す断面図である。
【図４】図４は従来に於ける係止片の構成の具体例を示す図である。
【図５】図５は従来に於ける係止片構造体の構成の具体例を示す図である。
【図６】図６は従来の係止片取付機の一具体例の構成を示す平面図である。
【図７】図７は従来の係止片取付機に於ける係止片構造体供給部の構造の一具体例を示す平面図である。
【図８】図８は本発明に係る係止片構造体を湾曲させる場合の例を説明する斜視図である。
【図９】図９は本発明に係る係止片構造体に於て湾曲し難い方向を示す斜視図である。
【符号の説明】
１・・・横棒部
２・・・フィラメント部
３・・・頭部
４・・・連結部
５・・・共通の線状支持部
７、８・・開口部
９・・・溝部
１０・・・係止片
１１・・・係止片構造体
１２・・・中空針
１５・・・中空針のスリット
１６・・・引金部
２２・・・係止片構造体ガイド部
３０・・・係止片取付機
３１・・・係止片構造体供給部
３２・・・係止片挿入部
３３・・・スリット部
【図１】
0004059551.tif 000002
【図２】
0004059551.tif 000003
【図３】
0004059551.tif 000004
【図４】
0004059551.tif 000005
【図５】
0004059551.tif 000006
【図６】
0004059551.tif 000007
【図７】
0004059551.tif 000008
【図８】
0004059551.tif 000009
【図９】
0004059551.tif 000010